(57)【要約】【課題】プリ発光と本発光の間隔が短くても、プリ発光により主コンデンサの充電電圧が低下せず、本発光の最大発光光量が低下してしまうことを防止可能にする。【解決手段】電気エネルギーを蓄える主コンデンサと、該主コンデンサに蓄えられた電気エネルギーを光に変換する第１の照明手段と、前記主コンデンサに蓄えられた電気エネルギー以外の電気エネルギーを光に変換する第２の照明手段とを有し、前記第１の照明手段を用いての本発光時の露光情報を得る為に、事前にプリ発光を行う機能を有する閃光撮影システムであって、前記プリ発光を、前記第１の照明手段を用いて行うか、前記第２の照明手段を用いて行うかを選択する選択手段（＃２０２〜＃２０３、＃２２０）を有する。【選択図】図６
2005173168.tif 000002
【特許請求の範囲】
【請求項１】
電気エネルギーを蓄える主コンデンサと、該主コンデンサに蓄えられた電気エネルギーを光に変換する第１の照明手段と、前記主コンデンサに蓄えられた電気エネルギー以外の電気エネルギーを光に変換する第２の照明手段とを有し、前記第１の照明手段を用いての本発光時の露光情報を得る為に、事前にプリ発光を行う機能を有する閃光撮影システムであって、
前記プリ発光を、前記第１の照明手段を用いて行うか、前記第２の照明手段を用いて行うかを選択する選択手段を有することを特徴とする閃光撮影システム。
【請求項２】
当該閃光撮影システムは、閃光装置と、カメラによって構成され、
前記選択手段は、前記閃光装置と前記カメラのいずれかに具備されていることを特徴とする請求項１に記載の閃光撮影システム。
【請求項３】
被写体までの距離に関する情報を得る距離検出手段を有し、
前記選択手段は、前記距離検出手段の検出結果に応じて、前記プリ発光を、前記第１の照明手段を用いて行うか、前記第２の照明手段を用いて行うかを選択することを特徴とする請求項１に記載の閃光撮影システム。
【請求項４】
前記主コンデンサの充電電圧を検出する充電電圧検出手段を有し、
前記選択手段は、前記充電電圧検出手段の検出結果により、前記プリ発光を、前記第１の照明手段を用いて行うか、前記第２の照明手段を用いて行うかを選択することを特徴とする請求項１に記載の閃光撮影システム。
【請求項５】
省電力モードを有し、
前記省電力モードが設定されている場合は、前記選択手段は、前記プリ発光を、前記第２の照明手段を用いて行うことを選択することを特徴とする請求項１に記載の閃光撮影システム。
【請求項６】
プリ発光を行う前の定常光を測光する測光手段を有し、
前記選択手段は、前記測光手段の測光結果により、前記プリ発光を、前記第１の照明手段を用いて行うか、第２の照明手段を用いて行うかを選択することを特徴とする請求項１に記載の閃光撮影システム。
【請求項７】
前記第１の照明手段の分光特性と前記第２の照明手段の分光特性による差分を補正する露光量補正手段を有し、
前記露光量補正手段は、前記第２の照明手段によるプリ発光を行った場合、前記第１の照明手段による本発光の発光量を補正することを特徴とする請求項１ないし６のいずれかに記載の閃光撮影システム。
【請求項８】
前記第２の照明手段を、赤目緩和用の照明手段として用いることを特徴とする請求項１ないし７のいずれかに記載の閃光撮影システム。
【発明の詳細な説明】
【技術分野】
【０００１】
本発明は、露光時の発光である本発光の発光量を決定する為に、事前にプリ発光を行う機能を有する閃光撮影システムに関するものである。
【背景技術】
【０００２】
外付けもしくは内蔵の閃光装置とカメラより構成される従来の閃光撮影システムにおいては、放電管による本発光の発光量を決定する為のプリ発光を、本発光と同じ放電管を用いて行っていた（例えば特許文献１）。
【特許文献１】特開２００１−３２６８５２号公報
【発明の開示】
【発明が解決しようとする課題】
【０００３】
上記従来例では、プリ発光、本発光ともに、主コンデンサに蓄えられた電気エネルギーを放電管を使用することで行っているため、プリ発光と本発光の間隔が短いと、前記主コンデンサへの充電が間に合わず、プリ発光にて用いられたエネルギーの分だけ主コンデンサの充電電圧が低下した状態で本発光が行われ、本発光の最大発光光量が低下してしまうといった課題を有していた。
【０００４】
また、放電管と被写体が近過ぎる場合、プリ発光時の放電管の最小発光量は比較的大きいため、プリ発光を測光する測光手段が飽和してしまうという課題もあった。
【課題を解決するための手段】
【０００５】
上記課題を解決するために、本発明は、電気エネルギーを蓄える主コンデンサと、該主コンデンサに蓄えられた電気エネルギーを光に変換する第１の照明手段と、前記主コンデンサに蓄えられた電気エネルギー以外の電気エネルギーを光に変換する第２の照明手段とを有し、前記第１の照明手段を用いての本発光時の露光情報を得る為に、事前にプリ発光を行う機能を有する閃光撮影システムであって、前記プリ発光を、前記第１の照明手段を用いて行うか、前記第２の照明手段を用いて行うかを選択する選択手段を有する閃光撮影システムとするものである。
【０００６】
詳しくは、被写体までの距離に関する情報を得る距離検出手段を有し、選択手段は、距離検出結果に応じて、更に詳しくは、距離検出結果が所定値より近距離の場合は、プリ発光に第２の照明手段を用いることを選択し、所定値より遠距離の場合は、プリ発光に第１の照明手段を用いることを選択する、
もしくは、主コンデンサの充電電圧を検出する充電電圧検出手段を有し、選択手段は、充電電圧の検出結果により、更に詳しくは、充電電圧の検出結果が所定値より低いの場合は、プリ発光に第２の照明手段を用いることを選択し、所定値より高い場合は、プリ発光に第１の照明手段を用いることを選択する、
もしくは、省電力モードを有し、省電力モードが設定されている場合は、前記プリ発光に、前記第２の照明手段を用いることを選択する、
もしくは、プリ発光を行う前の定常光を測光する測光手段を有し、測光結果により、更に詳しくは、測光結果が所定値より低いの場合は、プリ発光に第２の照明手段を用いることを選択し、所定値より高い場合は、プリ発光に第１の照明手段を用いることを選択するようにしている。
【発明の効果】
【０００７】
請求項１ないし５に記載の本発明によれば、プリ発光に、主コンデンサに蓄えられた電気エネルギー使用しない第２の照明手段を用いることを可能にし、プリ発光と本発光の間隔が短くても、プリ発光により主コンデンサの充電電圧が低下せず、本発光の最大発光光量が低下してしまうといったことを防止することを可能にする閃光撮影システムを提供できるものである。
【０００８】
また、請求項３に記載の本発明によれば、第１の照明手段と被写体が近過ぎる場合には、プリ発光時に第１の照明手段の最小発光量より小さな発光量にて発光可能な第２の照明手段を用いることを可能にし、プリ発光を測光する測光手段が飽和してしまうといったことを防止することを可能にする閃光撮影システムを提供できるものである。
【発明を実施するための最良の形態】
【０００９】
以下の実施例１ないし実施例６に示す通りである。
【実施例１】
【００１０】
図１は、本発明の実施例１に係わる一眼レフレックスカメラと外付けの閃光装置により構成される閃光撮影システムの、主に光学系の配置を示す構成図である。
【００１１】
図１において、１はカメラ本体であり、この中に光学部品、機械的部品、電気回路、フィルムなどが収納され、写真撮影が行えるようになっている。２は主ミラーであり、観察状態と撮影状態に応じて撮影光路へ斜設されあるいは退去される。また主ミラー２は、ハーフミラーとなっており、斜設されているときも、後述する焦点検出光学系に被写体からの光線の約半分を透過させている。３は後述の撮影レンズの予定結像面に配置されたピント板、４はファインダー光路変更用のペンタプリズムである。５はファインダーであり、撮影者はこの窓よりピント板３を観察することで、撮影画面を観察することが出来る。６，７は観察画面内の被写体輝度を測定する為の結像レンズと多分割測光センサであり、結像レンズ６はペンタプリズム４内の反射光路を介してピント板３と多分割測光センサ７を共役に関係付けている。
【００１２】
図４は撮影画面上における測光等のエリアの分割図であり、撮影画面はＡ０〜Ａ２２までの２３エリアに分割されており、前記多分割測光センサ７は、撮影画面と共役に関係付けられたそれぞれのエリアの輝度を測定することが出来る。
【００１３】
図１に戻って、８はシャッターである。９は感光部材であり、この例では銀塩フィルムを想定しているが、ＣＣＤ等の撮像素子であっても構わない。２５はサブミラーであり、被写体からの光線を下方に折り曲げて、後述の焦点検出ユニットの方に導いている。２６は焦点検出ユニットであり、２次結像ミラー２７、２次結像レンズ２８、焦点検出用ラインセンサ２９等を有している。前記２次結像ミラー２７、２次結像レンズ２８により焦点検出光学系を成し、撮影光学系の２次結像面を焦点検出ラインセンサ２９上に結んでいる。この焦点検出ユニット２６は、既知の位相差検出方式によって撮影画面内の被写体の焦点状態を検出するものであり、得られた焦点検出情報によって撮影レンズの焦点調節機構が制御され、自動焦点調節が実現される。この焦点検出ユニット２６は、図４における撮影画面内のＡ０〜Ａ６までの７点の焦点状態を検出するものである。２３は感光部材９であるところのフィルム面を測光するための測光レンズ、２４はフィルム面測光センサであり、これらは露光中にフィルム面に到達した光の拡散反射を利用して露光量を測定し閃光装置の適正光量を得る、いわゆるＴＴＬ調光に使用される。１０は公知のカメラ本体と撮影レンズとのインターフェイスとなるマウント接点である。
【００１４】
１１はカメラ本体１と共にカメラを構成するレンズ（鏡筒）である。１２は１群レンズ（フォーカスレンズ）、１３は２群レンズ（ズームレンズ）、１４は３群固定レンズであり、これらにより撮影レンズを構成している。前記１群レンズ１２が光軸上を左右に可動することで撮影画面のピント位置を調整することができ、２群レンズ１３が光軸上を左右に可動することで撮影画面の変倍となり撮影レンズの焦点距離が変更される。１５は撮影レンズ絞りである。１６はフォーカス駆動モータであり、自動焦点調節動作にしたがって前記１群レンズ１２を図中左又は右に移動させることによって自動的にピント位置を調整することが出来る。１７は絞り駆動モータであり、これにより撮影レンズ絞り１５を開放にしたり、絞ったりすることが出来る。
【００１５】
１８は外付けの閃光装置であり、カメラ本体１に取り付けられ、カメラ本体１からの信号に従って発光制御を行うものである。１９は第１の照明手段であるところの放電管であり、電流エネルギーを発光エネルギーに変換する。２０，２１は反射板とフレネルレンズであり、それぞれ発光エネルギーを効率良く被写体に向けて集光する役目をもつ。２２はカメラ本体１と閃光装置１８とのインターフェイスとなる公知の閃光装置用接点群である。３０はグラスファイバーであり、放電管１９の発光した光をモニタ用のセンサ（フォトダイオード）３１に導いている。センサ３１は、閃光装置１８のプリ発光及び本発光の光量を直接測光しているものであり、本発光量の制御のためのものである。３２はやはり放電管１９の発光した光をモニタするセンサ（フォトダイオード）であり、このセンサ３２の出力により、放電管１９の発光電流を制限して閃光装置１８がフラット発光を行うことが出来る。４０は第２の照明手段であるところの発光ダイオード（以下ＬＥＤという）（この例では白色ＬＥＤ）、４１は白色ＬＥＤ４０の照射範囲を放電管１９の照射範囲と合わせる為のフレネルレンズである。なお、第２の照明手段としてはランプでも構わない。
【００１６】
図２及び図３は、図１に示す閃光撮影システムの電気的構成を示す図であり、詳しくは、図２はカメラ本体１側とレンズ１１側の回路構成を示すブロック図、図３は閃光装置１８側の回路構成を示すブロック図であり、図１と対応する部材には同じ番号が付してある。
【００１７】
まず図２を用いて、カメラ本体１側とレンズ１１側の回路構成について説明する。カメラマイコン１００は、所定のソフトウエアによりカメラ内の各種の動作を司る。ＥＥＰＲＯＭ１００ｂは、フィルムカウンタその他の撮影情報を記憶するものである。１００ｃは、焦点検出ラインセンサ２９を含む焦点検出回路１０５、多分割測光センサ７を含む測光回路１０６からのアナログ信号をデジタル信号に変換（Ａ／Ｄ変換）するＡ／Ｄ変換器であり、カメラマイコン１００がそのＡ／Ｄ変換値を信号処理することにより各種状態を設定する。
【００１８】
カメラマイコン１００には、焦点検出回路１０５、測光回路１０６、シャッター制御回路１０７、モータ制御回路１０８、フィルム走行検知回路１０９、スイッチセンス回路１１０、液晶表示回路１１１、及び、フィルム面測光センサ２４を含むフィルム面反射測光回路１１４が接続されている。また、レンズ１１側とはマウント接点群１０を介して信号の伝達がなされる。さらに閃光装置１８側とは、閃光装置１８が直接カメラ本体１に取り付けられた状態では、閃光装置用接点群２２を介して信号の伝達がなされる。
【００１９】
焦点検出ラインセンサ２９は、撮影画面内のＡ０〜Ａ６の７点の焦点状態を検出するためのもので、撮影光学系の２次結像面にペアで各焦点検出点（測距点）に対応したラインセンサである。焦点検出回路１０５は、カメラマイコン１００の信号にしたがい、ラインセンサ２９の蓄積制御と読み出し制御を行ってそれぞれ光電変換された画素情報をカメラマイコン１００に出力する。カメラマイコン１００は、この情報をＡ／Ｄ変換して周知の位相差検出方式による焦点検出を行う。また、カメラマイコン１００は、焦点検出情報により、レンズマイコン１１２と信号のやりとり行うことによって1群レンズ１２の焦点調節を行う。
【００２０】
測光回路１０６は、画面内の各エリアの輝度信号として、前述したように画面内を複数のエリアに分割した多分割測光センサ７からの出力をカメラマイコン１００に出力する。また、測光回路１０６は被写体に向けて閃光装置１８がプリ発光していない定常状態とプリ発光しているプリ発光状態と双方の状態で輝度信号をカメラマイコン１００に出力する。カメラマイコン１００はこの輝度信号をＡ／Ｄ変換し、撮影露出調節のための絞り値の演算とシャッタースピードの演算、及び、露光時の閃光装置１８の本発光量の演算を行う。シャッター制御回路１０７は、カメラマイコン１００からの信号にしたがってシャッター先幕（ＭＧ−１）、シャッター後幕（ＭＧ−２）を走行させ、露出動作を担っている。モータ制御回路１０８は、カメラマイコン１００からの信号にしたがってモータＭを制御することにより、主ミラー２のアップダウン及びシャッターのチャージ、そしてフィルムの給送を行っている。フィルム走行検知回路１０９は、フィルム給送時にフィルムが１駒分巻き上げられたかを検知し、カメラマイコン１００に信号を送る。
【００２１】
ＳＷ１は、不図示のレリーズ釦の第１ストロークでＯＮし、測光、ＡＦ（オートフォーカス）を開始するスイッチとなる。ＳＷ２は、レリーズ釦の第２ストロークでＯＮし、露光動作を開始するスイッチとなる。ＳＷＦＥＬＫは不図示のプッシュスイッチでＯＮするスイッチであり、露光動作の前に閃光装置１８のプリ発光を行って本発光量を決定してロックする動作の始動スイッチである。前記各スイッチＳＷ１，ＳＷ２，ＳＷＦＥＬＫ及びその他不図示のカメラの操作部材からの信号は、スイッチセンス回路１１０にて検知され、カメラマイコン１００に送られている。ＳＷＸはシャッターの全開にともなってＯＮするスイッチであり、閃光装置１８側に、露光時の本発光の発光タイミングを送っている。
【００２２】
液晶表示回路１１１は、ファインダー内ＬＣＤ４２とモニタ用ＬＣＤ４３の表示をカメラマイコン１００からの信号にしたがって制御している。１１４は図１に示したフィルム面測光センサ２４を含むフィルム面反射測光回路であり、フィルム面測光センサ２４の測光情報をカメラマイコン１００に出力する。前記フィルム面測光センサ２４は、多分割測光センサ７と同様に、図４のように画面内を分割しており、撮影画面と共役に関係付けられたそれぞれのエリアの輝度を測定することが出来る。
【００２３】
次に、レンズ１１側の回路構成について説明する。カメラ本体１とレンズ１１は、前述したように、レンズマウント接点１０を介して相互に電気的に接続される。このレンズマウント接点１０は、レンズ１１内のフォーカス駆動モータ１６及び絞り駆動モータ１７の電源用接点であるＬ０、レンズマイコン１１２の電源用接点であるＬ１、公知のシリアルデータ通信を行う為のクロック用接点Ｌ２、カメラ本体１からレンズ１１へのデータ送信用接点Ｌ３、レンズ１１からカメラ本体１へのデータ送信用接点Ｌ４、前記モータ用電源に対するモータ用グランド接点であるＬ５、前記レンズマイコン１１２用電源に対するグランド接点であるＬ６で構成されている。レンズマイコン１１２は、レンズマウント接点１０を介してカメラマイコン１００と接続され、フォーカス駆動モータ１６及び絞り駆動モータ１７を動作させ、図１に示した、フォーカスレンズである１群レンズ１２の焦点調節と撮影レンズ絞り１５の制御を行っている。
【００２４】
３５，３６は光検出器とパルス板であり、レンズマイコン１１２がパルス数をカウントすることによりフォーカスレンズである１群レンズ１２の位置情報を得ることが出来、このレンズの焦点調節を行ったり、被写体の絶対距離情報をカメラマイコン１００に伝達することが出来る。
【００２５】
次に、図３を用いて、閃光装置１８側の回路構成について説明する。２００はカメラマイコン１００からの信号にしたがって閃光装置１８の制御を行う閃光装置マイコンであり、発光量の制御、プリ発光の発光強度及び発光時間の制御等を行う。２０１はＤＣ／ＤＣコンバータであり、閃光装置マイコン２００の指示により電池電圧を数百Ｖに昇圧し、主コンデンサＣ１に充電する。Ｒ１，Ｒ２は、主コンデンサＣ１の電圧を閃光装置マイコン２００がモニタするために設けられた分圧抵抗である。閃光装置マイコン２００は、分圧された電圧を内蔵のＡ／Ｄ変換器によりＡ／Ｄ変換することにより、主コンデンサＣ１の電圧を間接的にモニタし、ＤＣ／ＤＣコンバータ２０１の動作を制御して主コンデンサＣ１の電圧を所定の電圧に制御する。
【００２６】
２０２はトリガ回路であり、発光時にカメラマイコン１００の指示やＳＷＸ信号により閃光装置マイコン２００を介してトリガ信号を出力し、放電管１９のトリガ電極に数千Ｖの高電圧を印加する事により該放電管１９の放電を誘発し、主コンデンサＣ１に蓄えられた電荷エネルギーを該放電管１９を介して光エネルギーとして放出させる。２０３はＩＧＢＴ等のスイッチング素子を用いた発光制御回路であり、前記発光時のトリガ電圧印加の際には導通状態となり、放電管１９に電流を流し、発光停止時には遮断状態となることによって前記放電管１９への電流を遮断して発光を停止する。２０４，２０５はコンパレータであり、コンパレータ２０４は後述の閃光発光時の発光停止に用いられ、コンパレータ２０５は後述のフラット発光時の発光強度制御に用いられる。２０６はデータセレクタであり、閃光装置マイコン２００のＳＥＬ０，ＳＥＬ１端子からの選択信号にしたがい、Ｄ０〜Ｄ２の入力を選択し、Ｙ端子に出力する。
【００２７】
２０７は閃光発光制御用モニタ回路であり、センサ３１の出力を増幅する。２０８は閃光発光制御用モニタ回路２０７の出力を積分する積分回路である。２０９はフラット発光制御用モニタ回路であり、センサ３２の出力を増幅する。２１０は前記フラット発光時間等を記憶する例えばＥＥＰＲＯＭ等の記憶部、２１６は発光可能を示すＬＥＤである。４０は第２の照明手段である白色ＬＥＤであり、アノードは電源である電池（ｂａｔｔｅｒｙ）と接続され、カソードは既存の定電流回路４４と接続されている。
【００２８】
次に、閃光装置マイコン２００の各端子について説明する。ＣＫ端子はカメラ本体１とのシリアル通信を行う為の同期クロックの入力端子、ＤＩ端子はシリアル通信データの入力端子、ＤＯはシリアル通信のデータ出力端子、ＣＨＧ端子は閃光装置１８の発光可能状態を電流としてカメラ本体１に伝える出力端子、Ｘ端子はカメラ本体１からの発光タイミング信号の入力端子、ＥＣＫ端子は閃光装置マイコン２００の外部に接続されたＥＥＰＲＯＭもしくはフラッシュＲＯＭ等の書込可能な記憶部２１０とシリアル通信を行う為の通信クロックを出力する為の出力端子、ＥＤＩ端子は前記記憶部２１０からのシリアルデータ入力端子、ＥＤＯ端子は前記記憶部２１０へのシリアルデータ出力端子である。ＳＥＬＥは記憶部２１０との通信を許可するイネーブル端子であり、説明上、Ｌｏ(ローレベルを意味する)でイネーブル、Ｈｉ（ハイレベルを意味する）でディスエーブルとする。なお、本実施例では、閃光装置マイコン２００の外部に記憶部２１０を設定したが、閃光装置マイコンに内蔵されていても同じであるのは言うまでもない。
【００２９】
ＰＯＷ端子はパワースイッチ２１５の状態を入力する入力端子、ＯＦＦ端子はパワースイッチ２１５と接続された時に閃光装置１８をオフ状態にする為の出力端子である。ＯＮ端子はパワースイッチ２１５と接続された時の閃光装置をオン状態にする為の出力端子であり、パワーＯＮ状態ではＰＯＷ端子はＯＮ端子と接続され、その際ＯＮ端子はハイインピーダンス状態、ＯＦＦ端子はＬｏ状態であり、パワーＯＦＦ状態ではその逆である。ＬＥＤは発光可能を表示する表示出力端子である。
【００３０】
ＳＴＯＰ端子は発光停止信号の入力端子であり、説明上、Ｌｏで発光停止状態とする。ＳＥＬ０，ＳＥＬ１端子は前記データセレクタ２０６の入力選択を指示する為の出力端子であり、ＳＥＬ０，ＳＥＬ１の組み合わせが（ＳＥＬ１，ＳＥＬ０）＝（０，０）の時はＤ０端子がＹ端子に接続され、同様に（０，１）の時はＤ１端子、（１，０）の時はＤ２端子が選択される。ＤＡ０端子は閃光装置マイコン２００に内蔵されたＤ／Ａ出力端子であり、コンパレータ２０４，２０５の比較レベルをアナログ電圧で出力する。ＴＲＩＧ端子はトリガ回路２０２に発光を指示するトリガ信号出力端子である。ＣＮＴ端子はＤＣ／ＤＣコンバータ２０１の発振開始停止を制御する出力端子で、説明上、Ｈｉで充電開始、Ｌｏで充電停止とする。ＩＮＴ端子は積分回路２０８の積分の開始／リセットを制御する端子であり、Ｈｉで積分リセット、Ｌｏで積分許可とする。ＡＤ０，ＡＤ１端子はＡ／Ｄ入力端子であり、入力される電圧を閃光装置マイコン２００内部で処理できるようにディジタルデータに変換するものである。ＡＤ０端子は主コンデンサＣ１の電圧をモニタするものであり、ＡＤ１端子は積分回路２０８の積分出力電圧をモニタするものである。
【００３１】
定電流回路４４は、閃光装置マイコン２００のＬＥＤ＿Ｐ端子がＨｉの時、閃光装置マイコン２００内蔵のＤＡコンバータ出力のＤＡ１端子から出力される電圧に応じた定電流駆動で白色ＬＥＤ４０を点灯させる。
【００３２】
次に、前記閃光装置１８での各動作を、図３を用いて説明する。
【００３３】
＜発光可能状態の検知＞
閃光装置マイコン２００は、ＡＤ０端子に入力された主コンデンサＣ１の分圧された電圧をＡ／Ｄ変換することによって、主コンデンサＣ１の電圧が発光可能な所定電圧以上かを判定し、所定電圧以上であれば、ＣＨＧ端子より所定電流を吸い込み、カメラ本体１に発光可能を伝える。また、ＬＥＤ端子をＨｉに設定し、ＬＥＤ２１６を発光させて発光可能状態であることを表示する。前記主コンデンサＣ１の電圧が所定電圧未満であると判定したときは、ＣＨＧ端子はノンアクティブに設定して電流を遮断し、カメラ本体１には発光不能を伝える。また、ＬＥＤ端子をＬｏに設定し、ＬＥＤ２１６を消灯させて、発光不能状態であることを表示する。
【００３４】
＜放電管（第１の照明手段）によるプリ発光＞
閃光装置１８が発光可能状態のとき、カメラ本体１は、プリ発光の発光強度と発光時間を通信すると共に、放電管１９（第１の照明手段）によるプリ発光を指示することができる。ここで、放電管１９をほぼ一定の発光強度で発光を継続させるフラット発光によるプリ発光動作について説明する。閃光装置マイコン２００は、カメラ本体１より指示された所定発光強度信号に応じて、ＤＡ０端子に所定の電圧を設定する。次に、ＳＥＬ１，ＳＥＬ０端子にＬｏ，Ｈｉを出力し、Ｄ１端子を選択する。このとき放電管１９はまだ発光していないので、受光素子３２の光電流はほとんど流れず、コンパレータ２０５の反転入力端子に入力されるモニタ回路２０９の出力は発生せず、コンパレータ２０５の出力はＨｉであるので、発光制御回路２０３は導通状態となる。次に、ＴＲＩＧ端子よりトリガ信号を出力すると、トリガ回路２０２は高圧を発生し放電管１９を励起して発光が開始される。
【００３５】
また、閃光装置マイコン２００は、トリガ信号の発生より所定時間後、積分回路２０８に積分開始を指示し、積分回路２０８はモニタ回路２０７の出力、すなわち、光量積分用の受光素子３１の光電出力を積分開始すると同時に、所定時間をカウントするタイマを起動させる。
【００３６】
プリ発光が開始されると、フラット発光の発光強度制御用のセンサ３２の光電流が多くなり、モニタ回路２０９の出力が上昇し、コンパレータ２０５の非反転入力に設定されている所定の比較電圧より高くなると、コンパレータ２０５の出力はＬｏに反転し、発光制御回路２０３は放電管１９の発光電流を遮断し、放電ループが断たれるが、ダイオードＤ１、コイルＬ１により環流ループを形成し、発光電流は回路の遅れによるオーバーシュートが収まった後は、徐々に減少する。発光電流の減少に伴い、発光強度が低下するので、センサ３２の光電流は減少し、モニタ回路２０９の出力は低下し、所定の比較レベル以下に低下すると、再びコンパレータ２０５の出力はＨｉに反転し、発光制御回路２０３が再度導通し放電管１９の放電ループが形成され、発光電流が増加し発光強度も増加する。このように、ＤＡ０端子に設定された所定の比較電圧を中心に、コンパレータ２０５は短い周期で発光強度の増加減少を繰り返し、結果的には、所望するほぼ一定の発光強度で発光を継続させるフラット発光の制御が出来る。
【００３７】
前述の発光時間タイマをカウントし、所定のプリ発光時間が経過すると、閃光装置マイコン２００はＳＥＬ１，ＳＥＬ０端子をＬｏ，Ｌｏに設定する。これにより、データセレクタ２０６の入力はＤ０すなわちＬｏレベル入力が選択され、出力は強制的にＬｏレベルとなり、発光制御回路２０３は放電管１９の放電ループを遮断し、発光を終了する。発光終了時に、閃光装置マイコン２００は、プリ発光を積分した積分回路２０８の出力をＡ／Ｄ入力端子ＡＤ１から読み込み、Ａ／Ｄ変換し、積分値、すなわちプリ発光時の発光量をデジタル値（ＩＮＴｐ）として読み取ることができる。
【００３８】
＜白色ＬＥＤ（第２の照明手段）によるプリ発光＞
次に、白色ＬＥＤ４０（第２の照明手段）によるプリ発光動作について説明する。カメラ本体１からプリ発光の発光強度と発光時間を通信されると共に、白色ＬＥＤ４０によるプリ発光が指示されると、閃光装置マイコン２００は、ＬＥＤ＿Ｐ端子をＨｉ出力とし、指示された光量に対応する電圧をＤＡ１端子から出力して定電流回路４４を駆動して白色ＬＥＤ４０を点灯させる。点灯開始と同時に点灯時間制御タイマの動作を開始して指示された時間、白色ＬＥＤ４０を点灯させる。
【００３９】
＜放電管によるプリ発光と白色ＬＥＤによるプリ発光の対応＞
次に、放電管１９によるプリ発光と白色ＬＥＤ４０によるプリ発光量の対応付けについて説明する。放電管１９を用いて、プリ発光強度の最大値、単位時間で発光させた時の光量を既存の外部光量計で測定し、この値をＬｐ１（ｍａｘ）、積分回路２０８の積分出力をＩＮＴｐ（ｍａｘ）とし、閃光装置１８内のＥＥＰＲＯＭ等の記憶部２１０に記憶させる。また、白色ＬＥＤ４０を用いて、プリ発光強度の最大値、単位時間で発光させた時の光量を既存の外部光量計で測定し、この値をＬｐ２（ｍａｘ）とし、閃光装置１８内の記憶部２１０に記憶させる。なお、指示するプリ発光発光強度の最大値は、放電管１９でプリ発光する場合も白色ＬＥＤ４０でプリ発光する場合も同じ値とする。
【００４０】
＜本発光制御＞
カメラマイコン１００は、プリ発光時の多分割測光センサ７からの被写体反射光輝度値等から、本発光量のプリ発光に対する適正相対値（γ）を求め、閃光装置マイコン２００に送る。閃光装置マイコン２００は、プリ発光が放電管１９で行われた場合は、プリ発光時の測光積分値（ＩＮＴｐ）に、カメラ本体１からの相対値（γ）の値を掛け合わせて積分値（ＩＮＴｍ）を求め、ＤＡ０端子に適正積分値（ＩＮＴｍ）を設定する。また、プリ発光が白色ＬＥＤ４０により行われた場合は、記憶部２１０に記憶させたＬｐ１（ｍａｘ）、ＩＮＴｐ（ｍａｘ）、Ｌｐ２（ｍａｘ）から放電管１９でのプリ発光相当の積分値ＩＮＴｐ２を算出する。つまり、カメラ本体１からプリ発光の発光強度の通信値を８カウント１段とし、Ｌｐ１（ｍａｘ）、Ｌｐ２（ｍａｘ）をリニア光量とすると
ＩＮＴｐ２＝ＩＮＴｐ（ｍａｘ）
÷２＾｛（プリ発光強度の最大値−プリ発光の発光強度）／８｝
×｛Ｌｐ２（ｍａｘ）／Ｌｐ１（ｍａｘ）｝
の演算により得る。そして、このようにして得たプリ発光時の測光積分値相当（ＩＮＴｐ２）に、カメラ本体１からの適正相対値（γ）の値を掛け合わせて適正積分値（ＩＮＴｍ）を求め、ＤＡ０端子に適正積分値（ＩＮＴｍ）を設定する。
【００４１】
次に、ＳＥＬ１，ＳＥＬ０端子にＨｉ，Ｌｏを出力し、Ｄ２端子を選択する。このとき積分回路２０８は動作禁止状態なので、コンパレータ２０４の反転入力端子に入力される積分回路２０８の出力は発生せず、コンパレータ２０４の出力はＨｉであるので、発光制御回路２０３は導通状態となる。次に、ＴＲＩＧ端子よりトリガ信号を出力すると、トリガ回路２０２が高圧を発生して放電管１９を励起するので、発光が開始される。また、閃光装置マイコン２００は、トリガ印加によるトリガノイズが収まるとともに実際の発光が開始される１０数μｓｅｃ後に積分開始用のＩＮＴ端子をＬｏレベルに設定する。これにより、積分回路２０８はセンサ３１からの出力をモニタ回路２０７を介して積分する。積分出力がＤＡ０端子で設定された所定電圧に到達すると、コンパレータ２０４の出力は反転し、データセレクタ２０６を介して発光制御回路２０３が導通を遮断され、発光は停止する。また、閃光装置マイコン２００は、ＳＴＯＰ端子をモニタし、ＳＴＯＰ端子の出力が反転して発光が停止すると、ＳＥＬ１，ＳＥＬ０端子をＬｏ，Ｌｏに設定して強制発光禁止状態に設定するとともに、積分開始用のＩＮＴ端子の出力を反転し、積分を終了させ、発光処理を終了する。このようにして、本発光を適正な発光量に制御することが出来る。
【００４２】
次に、図５〜図６を用いて、上記構成の閃光撮影システムのカメラマイコン１００での動作を中心に説明する。
［ステップ＃１００］  カメラマイコン１００は、動作を開始する。
［ステップ＃１０１］  レリーズ釦の第１ストロークでＯＮするスイッチＳＷ１の状態を検出する。このスイッチＳＷ１のＯＮを検出するまではこの動作を繰り返し、スイッチＳＷ１がＯＮすると次のステップ＃１０２に移行する。
［ステップ＃１０２］  測光回路１０６より画面内の複数のエリアの被写体輝度情報のＡ／Ｄ変換値を得る。この輝度情報から、後述での露光動作に用いるシャッタースピード、絞り値を演算により求める。
［ステップ＃１０３］  焦点検出回路１０５を駆動することにより周知の位相差検出方式による焦点検出動作を行う。焦点検出（測距）するポイントは前述したように複数あるため、撮影者が任意に焦点検出ポイントを設定できる方式の場合と、近点優先を基本の考え方とした周知の自動選択アルゴリズム方式の場合等があり、このポイントにて焦点状態を検出する。
［ステップ＃１０４］  選択された焦点検出ポイントが合焦となるように、カメラマイコン１００は、レンズ１１側と通信を行うことによってレンズの焦点調節を行う。この際、カメラマイコン１００は、レンズ合焦位置の絶対距離情報（ＤＡＦ）を通信によって得ることが出来る。
［ステップ＃１０５］  レリーズ釦の第２ストロークでＯＮするスイッチＳＷ２がＯＮであるかどうかを判定する。ＯＦＦであれば、ステップ＃１０１〜＃１０４までの動作を繰り返し、スイッチＳＷ２がＯＮであれば、ステップ＃１０６以下のレリーズ動作に進む。
［ステップ＃１０６］  レリーズ動作に入ると、まず閃光装置発光量演算サブルーチンをコールする。
【００４３】
ここで、この閃光装置発光量演算サブルーチンについて、図６のフローチャートを用いて説明する。
［ステップ＃２００］  カメラマイコン１００は、閃光装置発光量演算サブルーチンを開始する。
［ステップ＃２０１］  プリ発光の直前に被写体輝度を測光回路１０６により得る。その輝度値はそれぞれのエリア毎に、
ＥＶａ（ｉ）  ｉ＝０〜１８
として、内蔵のＲＡＭに記憶する。
［ステップ＃２０２］  図５のステップ＃１０４において得た絶対距離情報（ＤＡＦ）と所定値とを比較し、ＤＡＦが所定値より遠い場合はステップ＃２２０に進み、所定値より近い場合はステップ＃２０３に進む。
［ステップ＃２０３］  ＤＡＦが所定値より近いので、閃光装置１８へ通信端子２２を介して第２の照明手段である白色ＬＥＤ４０を選択してプリ発光を行うように通信する。
［ステップ＃２２０］  ＤＡＦが所定値より遠いので、閃光装置１８へ通信端子２２を介して第１の照明手段である放電管１９を選択して、プリ発光を行うように通信する。
【００４４】
上記のようにして、放電管１９もしくは白色ＬＥＤ４０でのプリ発光の指示を行った後は、ステップ＃２０４へ移行する。
［ステップ＃２０４］  カメラマイコン１００は、閃光装置１８に対してプリ発光の命令を行う。閃光装置マイコン２００は、この命令にしたがって前述したようにプリ発光動作を行う。また、カメラマイコン１００は、プリ発光が持続している間に、被写体輝度を測光回路１０６により得る。その輝度値はそれぞれのエリア毎に、
ＥＶｆ（ｉ）  ｉ＝０〜１８
として、ＲＡＭに記憶する。
［ステップ＃２０５］  前記のＥＶａとＥＶｆからプリ発光反射光分のみの輝度値を抽出する。
【００４５】
ＥＶｄｆ(ｉ)  ←  ＥＶｆ(ｉ)− ＥＶａ(ｉ)      ｉ＝０〜１８
として、ＲＡＭに記憶する。
［ステップ＃２０６］  閃光装置１８の光量を適正に制御するために演算を行う中心のエリアを選出する。
【００４６】
このエリアの選出には、前述の焦点検出ポイントをそのまま採用する方法もあるし、カメラに最至近の被写体のエリアを示すＥＶｄｆの値が最大となるエリアを選出する方法等がある。エリアを選出すると、後述の重み付け演算をするのに用いる他のエリアを、図７のように選出する。他のエリアは、演算を行う中心のエリアに隣り合うエリアとしているが、当然これに限るものでなく、残りの全てのエリアとしても良い。また、演算を行う中心のエリアも２つ以上のエリアを選出することもあり得る。
［ステップ＃２０７］  カメラマイコン１００は、被写体の距離に関する情報から重み付け係数ａ，ｂを演算し、決定する。前記被写体の距離に関する情報は、上記ステップ＃２０６で選出されたエリアのＥＶｄｆの値を用いる。ＥＶｄｆは、プリ発光反射光分のみの輝度値であるので当然ながら距離が２倍になると、ＥＶｄｆの値が１／４になるというふうに距離に関するデータである。
【００４７】
図８に、重み付け係数ａ，ｂの決定方法を図示してある。係数ａは演算を行う中心のエリアの重み付け係数であり、係数ｂは、その他のエリアの重み付け係数である。被写体の距離が近くなってＥＶｄｆの値が大きくなるほど、係数ａを小さくし、係数ｂを大きくしており、逆に距離が遠くなってＥＶｄｆの値が小さくなると、係数ａを大きくし、係数ｂを小さくしている。但し、この係数ａ，ｂの決定は標準的な撮影動作に基づいているため、例えばバウンス閃光装置の撮影や多灯閃光装置、ワイヤレス閃光装置やマクロ撮影等特殊な撮影の時は、ａ，ｂの値が変わることは充分考えられる。また、この距離に関するデータは、単純にカメラマイコン１００が上記ステップ＃１０４でレンズ１１と通信することによって得た絶対距離情報を用いることでも良い。
［ステップ＃２０８］  カメラマイコン１００は、重み付け平均を行う選択されたエリアに対して、それぞれ適正となる閃光装置光量の演算を行う。
【００４８】
Ｐ＝｛ＴＧＴ−ＥＶａ(ｉ)｝／ＥＶｄｆ（ｉ）
ＴＧＴ  ：適正露光量
ＥＶａ  ：外光による被写体の輝度
ＥＶｄｆ：プリ発光反射光分のみの輝度
Ｐ      ：それぞれのエリアの適正となる閃光光量
そして、それぞれのエリアでのＰの値より、選択された中心のエリアのＰ（Ｐ１）とその他のエリアのＰ（Ｐ２）を単純な平均で求める。（選択された中心のエリアが１つであれば平均といってもその値そのものである。）
さらに、次の式
Ｗave＝ａ×Ｐ１＋ｂ×Ｐ２  （ａ，ｂとも≦１）
に従って重み付け平均を行う。
［ステップ＃２０９］  カメラマイコン１００は、重み付け平均Ｗaveの値を適正相対値（γ）に変換する演算（本発光量の演算）を行い、閃光装置１８側に通信によりこのγの値を送る。
【００４９】
以上で、閃光装置発光量演算サブルーチン（図５のステップ＃１０６の処理）を終え、図５のステップ＃１０７へ移行する。
［ステップ＃１０７］  カメラマイコン１００は、露光動作を行う。すなわち、主ミラー２をアップさせ、サブミラー２５ともども撮影光路より退去させ、レンズ１１側の撮影レンズ絞り１５を制御して絞りを制御し、決められたシャッタースピード値（Ｔｖ）になるようにシャッター制御回路１０７を制御する。このとき，シャッターの全開に同期してスイッチＳＷＸがＯＮし、このＯＮが閃光装置１８側に伝わり、これが本発光の開始命令となる。すると、閃光装置マイコン２００は、カメラ本体１から送られてきた前記γに基づいて適正な量に前述のような本発光制御行う。
【００５０】
最後は、撮影光路より退去された主ミラー２等をダウンして再び撮影光路へ斜設させ、モータ制御回路１０８とフィルム走行検知回路１０９により、フィルムを１駒巻き上げる。
【００５１】
以上の実施例１によれば、被写体までの距離が所定値より遠い場合は、第１の照明手段である放電管１９を使用してプリ発光を行い（図６のステップ＃２０２→＃２２０）、被写体までの距離が所定値より近い場合、つまり、第１の照明手段である放電管１９より光量の小さい第２の照明手段を用いても被写体に対しプリ発光が照射可能な場合は、第２の照明手段である白色ＬＥＤ４０を用いてプリ発光を行う（図６のステップ＃２０２→＃２０３）ようにしている。よって、被写体までの距離が所定値より近い場合には主コンデンサＣ１の電気エネルギー（充電エネルギー）は消費されず、本発光時の主コンデンサの電圧低下を防止可能となる。また、至近距離でのプリ発光を測光する測光手段（多分割測光センサ７を含む速攻回路１０６より成る）が飽和するといったことも防止することができる。
【実施例２】
【００５２】
次に、本発明の実施例２に係わる閃光撮影システムについて説明する。カメラ本体、レンズ、閃光装置の構成は、上記実施例１と同じであるのでその説明は省略する。
【００５３】
以下、上記実施例１の動作と異なる部分についてのみ説明する。上記実施例１では、第１の照明手段である放電管１９を使用してプリ発光を行うか、第２の照明手段である白色ＬＥＤ４０を使用してプリ発光を行うかの選択は、カメラマイコン１００側にて行うようにしていたが、本発明の実施例２では、閃光装置マイコン２００側で行うようにしている。閃光装置マイコン２００は、主コンデンサＣ１の充電電圧に応じて第１の照明手段と第２の照明手段の選択を行うようにしている。
【００５４】
本発明の実施例２における、カメラ本体１側での閃光装置発光量演算サブルーチンについて、図９を用いて説明する。図９のステップ＃３００〜＃３０１は、上記実施例１における図６のステップ＃２００〜＃２０１と同じ動作である。また、ステップ＃３０２〜＃３０８についても、上記実施例１における図６のステップ＃２０４〜＃２１０と同じ動作を行う。
【００５５】
上記実施例１では、カメラマイコン１００は、図５のステップ＃１０４において得た絶対距離情報（ＤＡＦ）によりプリ発光を放電管１９（第１の照明手段）と白色ＬＥＤ４０（第２の照明手段）のいずれで行うかの選択をしていたが、本実施例２では、ステップ＃３０２において、閃光装置１８側に対してプリ発光の命令を行うと共に、プリ発光持続の間に被写体輝度を測光回路１０６により得る。
【００５６】
上記ステップ＃３０２において、プリ発光開始の命令をカメラマイコン１００から通信された閃光装置マイコン２００は、プリ発光割り込み処理を行う。以下、図１０に沿って、閃光装置マイコン２００にて実行されるプリ発光割り込み処理について説明する。
【００５７】
図１０のステップ＃４００より動作を開始し、閃光装置マイコン２００は、まずステップ＃４０１にて、ＡＤ０端子にて主コンデンサＣ１の充電電圧Ｒ１，Ｒ２を分圧した電圧のＡ／Ｄ変換値を取り込み、主コンデンサＣ１が所定電圧を超えればステップ＃４１０へ進み、所定電圧以下ならばステップ＃４０２に進む。ステップ＃４０２へ進んだ場合は、白色ＬＥＤ４０（第２の照明手段）によるプリ発光動作を行う。一方、ステップ＃４１０へ進んだ場合は、放電管（第１の照明手段）によるプリ発光動作を行う。そして、次のステップ＃４０３で割り込み処理を終了する。
【００５８】
放電管１９によるプリ発光と白色ＬＥＤ４０によるプリ発光の対応、本発光制御、及び、本発光動作は上記実施例１と同じであるので、その詳細は省略する。
【００５９】
以上の実施例２によれば、閃光装置１８内の主コンデンサＣ１の充電電圧が所定電圧以下の場合は、白色ＬＥＤ４０を用いてプリ発光を行うようにしているので、プリ発光時に主コンデンサＣ１の電気エネルギーが消費されることがなくなり、プリ発光と本発光との間隔が短くても、本発光時に主コンデンサＣ１の充電エネルギーがプリ発光で消費された分だけ不足してしまう、といったことがなくなる。つまり、本発光時の主コンデンサの電圧低下を防止可能となる。
【実施例３】
【００６０】
次に、本発明の実施例３に係わる閃光撮影システムについて説明する。カメラ本体、レンズ、閃光装置の構成は、上記実施例１と同じであり、またカメラ本体１、レンズ１１での動作についても上記実施例１と同じであるので、その説明は省略する。上記実施例１と異なるのは、閃光装置１８での一部の動作、つまり第1の照明手段である放電管１９と第2の照明手段である白色ＬＥＤ４０の分光特性差による、フィルム露光量の差分を補正する補正値を有する点である。
【００６１】
＜放電管（第１の照明手段）と白色ＬＥＤ（第2の照明手段）の分光特性差によるフィルム露光量の補正＞
第１の照明手段である放電管１９の分光特性は、図１１（ａ）のようになっている。一方、第２の照明手段である白色ＬＥＤ４０の分光特性は図１１（ｂ）のようになっている。
【００６２】
上記実施例１では、第１の照明手段である放電管１９によるプリ発光と第２の照明手段である白色ＬＥＤ４０によるプリ発光の対応づけを行うため、外部光量計のセンサとカメラ本体内の多分割測光センサ７の分光感度が同じであれば、センサ上での受光光量は同じに調整可能であるが、感光部材であるフィルム９（デジタルカメラにおいては撮像素子）の分光感度とセンサ７の分光感度は一致していない。図１２（ａ）が撮像素子（センサ）の分光感度であり、図１２（ｂ）がフィルムの青感層、緑感層、赤感層の分光感度である。これらの露光量差を補正する為に、センサ上で同光量となる第１、第２の照明手段それぞれの発光で露光した場合の感光部材であるフィルム９の露光量差分から、第１の照明手段を基準にした第２の照明手段でプリ発光した場合の補正値αを算出し、ＥＥＰＲＯＭ等の記憶部２１０に記憶しておく。
【００６３】
＜プリ発光制御＞
放電管１９（第１の照明手段）によるプリ発光動作、及び、白色ＬＥＤ４０（第２の照明手）によるプリ発光動作は、上記実施例１と同じである。
【００６４】
＜本発光制御＞
続いて、本発光制御を説明する。上記実施例１の同様、カメラマイコン１００は、プリ発光時の多分割測光センサ７からの被写体反射光輝度値等から、本発光量のプリ発光に対する適正相対値（γ）を求め、閃光装置マイコン２００に送る。閃光装置マイコン２００は、プリ発光が放電管１９で行われた場合は、プリ発光時の測光積分値（ＩＮＴｐ）に、カメラ本体１からの相対値（γ）の値を掛け合わせて積分値（ＩＮＴｍ）を求め、ＤＡ０端子に適正積分値（ＩＮＴｍ）を設定する。
【００６５】
また、プリ発光が白色ＬＥＤ４０により行われた場合は、記憶部２１０に記憶したＬｐ１（ｍａｘ）、ＩＮＴｐ（ｍａｘ）、Ｌｐ２（ｍａｘ）から放電管１９でのプリ発光相当の積分値ＩＮＴｐ２を算出する。詳しくは、カメラ本体１からプリ発光の発光強度の通信値を８カウント１段とし、Ｌｐ１（ｍａｘ）、Ｌｐ２（ｍａｘ）をリニア光量とすると
ＩＮＴｐ２＝ＩＮＴｐ（ｍａｘ）
÷２＾｛（プリ発光強度の最大値−プリ発光の発光強度）／８｝
×｛Ｌｐ２（ｍａｘ）／Ｌｐ１（ｍａｘ）｝
の演算により得たプリ発光時の測光積分値相当（ＩＮＴｐ２）に、カメラ本体１からの適正相対値（γ）の値と第１の照明手段を基準にした第２の照明手段でプリ発光した場合の補正値αを掛け合わせて適正積分値（ＩＮＴｍｃ）を求め、ＤＡ０端子に適正積分値（ＩＮＴｍｃ）を設定する。以後の動作は実施例１と同じである。
【００６６】
以上の実施例３によれば、放電管１９と白色ＬＥＤ４０の分光特性と、フィルム９（又は撮像素子）の分光感度に応じた露光量の差を補正することが可能となる。その他の効果は上記実施例１と同様である。
【００６７】
なお、上記実施例３では、適正相対値（γ）と補正値αとの演算を閃光装置マイコン２００で行っているが、カメラ本体側への通信にて補正値αを送信し、カメラマイコン１００にて適正相対値（γ）に補正値αを掛け合わせた補正後の相対値（γ’）として閃光装置に送信してもよい。また、補正値αはフィルムごと、デジタルカメラでは、撮像素子の種類ごと、閃光装置の種類ごと、閃光装置の発光量ごと、閃光装置の主コンデンサの充電電圧ごとに対応した値であっても構わない。
【実施例４】
【００６８】
次に、本発明の実施例４に係わる閃光撮影システムについて説明する。カメラ本体、レンズ、閃光装置の構成は、上記実施例１と同じであるのでその説明は省略する。
【００６９】
以下、上記実施例１の動作と異なる部分についてのみ説明する。上記実施例１では、第１の照明手段である放電管１９を使用してプリ発光を行うか、第２の照明手段である白色ＬＥＤ４０を使用してプリ発光を行うかの選択は、カメラマイコン１００側にて行うようにしていたが、本発明の実施例４では、閃光装置マイコン２００側で行うようにしている。閃光装置マイコン２００は、閃光装置が省電力モードに設定されているかによって、その選択を行う。
【００７０】
本発明の実施例４における、カメラ本体１側での閃光装置発光量演算サブルーチンについて、再び図９を用いて説明する。図９のステップ＃３００〜＃３０１は、上記実施例１における図６のステップ＃２００〜＃２０１と同じ動作である。また、ステップ＃３０２〜＃３０８についても、上記実施例１における図６のステップ＃２０４〜＃２１０と同じ動作を行う。
【００７１】
上記実施例１では、カメラマイコン１００は、図５のステップ＃１０４において得た絶対距離情報（ＤＡＦ）によりプリ発光を放電管１９（第１の照明手段）と白色ＬＥＤ４０（第２の照明手段）のいずれで行うかの選択をしていたが、本実施例４では、ステップ＃３０２において、閃光装置１８側に対してプリ発光の命令を行うと共に、プリ発光持続の間に被写体輝度を測光回路１０６により得る。
【００７２】
上記ステップ＃３０２において、プリ発光開始の命令をカメラマイコン１００から通信された閃光装置マイコン２００は、プリ発光割り込み処理を行う。以下、図１３に沿って、閃光装置マイコン２００にて実行されるプリ発光割り込み処理について説明する。
【００７３】
図１３のステップ＃５００より動作を開始し、閃光装置マイコン２００は、まずステップ＃５０１にて、省電力モード(ＬＯＷ  ＰＯＷＥＲ  ＳＷ)が設定されているかを判定し、設定されていなければ、つまりＬＯＷ  ＰＯＷＥＲ  ＳＷの入力がＯＦＦであれば省電力モードは設定されていないとしてステップ＃５１０に進み、省電力モードが設定されている（ＯＮ）ならばステップ＃５０２に進む。ステップ＃５０２へ進むと、省電力モードが設定されているので、白色ＬＥＤ４０（第２の照明手段）によるプリ発光動作を行う。一方、ステップ＃２１０へ進んだ場合は、省電力モードは設定されていないので、放電管１９（第１の照明手段）によるプリ発光動作を行う。そして、ステップ＃５０３で割り込み処理を終了する。
【００７４】
放電管１９によるプリ発光と白色ＬＥＤ４０によるプリ発光の対応、本発光制御は、上記実施例１と同じであるので、その詳細は省略する。
【００７５】
以上の実施例４によれば、閃光装置１８が省電力モードに設定されている場合は、第２の照手段である白色ＬＥＤ４０でプリ発光するようにしている（図１３のステップ＃５０１→＃５０２）ので、プリ発光時に主コンデンサＣ１の電気エネルギーが消費されることがなくなり、プリ発光と本発光との間隔が短くても、本発光時に主コンデンサＣ１の充電エネルギーがプリ発光で消費された分だけ不足してしまう、といったことがなくなる。つまり、本発光時の主コンデンサの電圧低下を防止可能となる。
【実施例５】
【００７６】
次に、本発明の実施例５に係わる閃光撮影システムについて説明する。カメラ本体、レンズ、閃光装置の構成は、上記実施例１と同じであるのでその説明は省略する。
【００７７】
以下に、上記実施例１と差異のあるカメラマイコン１００での動作について、図１４のフローチャートを用いて説明する。図１４において、ステップ＃６０６以外は、上記実施例１における図５のステップ＃１００〜＃１０８の動作と同じである。
【００７８】
図１４のステップ＃６０６では、カメラマイコン１００は、閃光装置マイコン２００に対し、赤目緩和機能の動作開始と動作時間を通信する。赤目緩和機能の動作を通信された閃光装置マイコン２００は、通信により指示された時間、所定電圧をＤＡ１端子から出力する。これにより、第２の照明手段である白色ＬＥＤ４０が点灯し、赤目緩和が行われる。
【００７９】
以上の実施例５によれば、第２の照明手段である白色ＬＥＤ４０を、赤目緩和用の照明手段としても用いることが可能となる。
【実施例６】
【００８０】
次に、本発明の実施例６に係わる閃光撮影システムについて説明する。カメラ本体、レンズ、閃光装置の構成は、上記実施例１と同じであるのでその説明は省略する。また、閃光装置１８の動作、レンズ１１の動作も、上記実施例１と同じであり、差異のあるカメラマイコン１００での閃光装置発光量演算サブルーチンについて、図１５を用いて説明する。
【００８１】
図１５のステップ＃７００〜＃７０１の動作は、上記実施例１における図６のステップ＃２００〜＃２０１と同じ動作である。また、ステップ＃７０４〜＃７１０の動作についても、図６のステップ＃２０４〜＃２１０の動作と同じである。
【００８２】
図１５において、ステップ＃７０２では、カメラマイコン１００は、被写体輝度情報が所定値より大きいか否かを判定し、大きければステップ＃７２０へ進み、所定値以下であればステップ＃７０３へ進む。ステップ＃７０３へ進むと、閃光装置１８に対して通信端子２２を介して第２の照明手段である白色ＬＥＤ４０を選択してプリ発光を行うように通信する。一方、ステップ＃７２０へ進むと、閃光装置１８に対して通信端子２２を介して第１の照明手段である放電管１９を選択してプリ発光を行うように通信する。
【００８３】
以上の実施例６によれば、被写体輝度（外光輝度）が所定値以下の場合、つまり第１の照明手段である放電管１９よりプリ発光量の低い第２の照明手段である白色ＬＥＤ４０を用いてプリ発光を行っても、カメラの測光手段がプリ発光照射による被写体輝度を測光可能である場合には（図１５のステップ＃７０２→＃７０３）、白色ＬＥＤ４０を用いてプリ発光を行うようにしているので、本発光時の主コンデンサの電圧低下を防止可能となる。
【００８４】
以上の各実施例によれば、放電管１９による本発光の発光量の決定する為のプリ発光を行う閃光撮影システムにおいて、第１の照明手段である前記放電管１９以外に、プリ発光時に用いられる第２の照明手段（実施例では、白色ＬＥＤ４０）を備え、プリ発光時には、以下の１）〜４）ようにして、前記第１の照明手段と第２の照明手段のいずれかを選択して、前記プリ発光を行うようにしている。
【００８５】
１）被写体までの距離に関する情報を検出し、この情報が所定値より近距離の場合には、プリ発光に第２の照明手段である白色ＬＥＤ４０を選択し、所定値より遠距離の場合には、プリ発光に第１の照明手段である放電管１９を選択する。２）主コンデンサＣ１の充電電圧を検出し、充電電圧が所定値より低いの場合には、プリ発光に第２の照明手段である白色ＬＥＤ４０を選択し、所定値より高い場合には、プリ発光に第１の照明手段である放電管１９を選択する。３）省エネルギーモードが設定されている場合には、プリ発光に第２の照明手段である白色ＬＥＤ４０を選択する。４）被写体輝度（外光輝度）を測光し、測光結果が所定値より低いの場合には、プリ発光に第２の照明手段である白色ＬＥＤ４０を選択し、所定値より高い場合には、プリ発光に第１の照明手段である放電管１９を選択する。
【００８６】
よって、主コンデンサＣ１に蓄えられた電気エネルギーを使用しない第２の照明手段である白色ＬＥＤ４０によりプリ発光を行うことが可能になり、プリ発光と本発光の間隔が短い場合でも、プリ発光により主コンデンサＣ１の充電電圧が低下しないため、本発光の最大発光光量が低下してしまうといったことが無くなる。
【００８７】
また、上記１）のように、放電管１９と被写体が近過ぎる、近距離撮影時には、プリ発光時に、放電管１９の最小発光量より小さな発光量にて発光可能な第２の照明手段である白色ＬＥＤ４０を用いることを可能にしているので、プリ発光を測光する測光手段が飽和してしまうということも無くなる。
【００８８】
さらに、第１の照明手段である放電管１９の分光特性と第２の照明手段である白色ＬＥＤ４０の分光特性による差分を補正する手段を有し、白色ＬＥＤ４０によるプリ発光を行った場合には、得られた放電管１９による本発光の発光量を補正するようにしているので、プリ発光と本発光とで照明手段が異なったとしても、適正な露出の閃光撮影を行うことができる。
【００８９】
更に、第２の照明手段である白色ＬＥＤ４０を、赤目緩和を機能させる照明手段として用いるようにしているので、コスト面、スペース面で有効なものとすることができる。
【００９０】
（本発明と各実施例の対応）
上記の各実施例において、放電管１９が本発明の第１の照明手段に、白色ＬＥＤ４０が本発明の第２の照明手段に、カメラマイコン１００又は閃光装置マイコン２００が本発明の選択手段に、焦点検出回路１０５が本発明の距離情報検出手段に、測光回路１０６が本発明の測光手段に、分圧抵抗Ｒ１，Ｒ２及び閃光装置マイコン２００が本発明の充電電圧検出手段に、カメラマイコン１００が本発明の露光量補正手段に、それぞれ相当する。
【００９１】
上記各実施例では、閃光撮影システムを構成する閃光装置は、外付けのものを想定しているが、内蔵の閃光装置であっても良い。
【図面の簡単な説明】
【００９２】
【図１】本発明の実施例1に係わる閃光撮影システムの光学系配置を示す構成図である。
【図２】図１のカメラ本体側の電気的構成を示すブロック図である。
【図３】図１の閃光装置側の電気的構成を示すブロック図である。
【図４】本発明の実施例1に係わる撮影画面上の測光等のエリア分割図である。
【図５】本発明の実施例１に係わるカメラマイコンでの動作を示すフローチャートである。
【図６】本発明の実施例１に係わるカメラマイコンでの閃光装置発光量演算の動作を示すフローチャートである。
【図７】本発明の実施例１に係わる重み付け平均を行うエリア選出例を示す図である。
【図８】本発明の実施例２に係わる重み付け係数の決定の仕方を示す図である。
【図９】本発明の実施例２に係わるカメラマイコンでの閃光装置発光量演算の動作を示すフローチャートである。
【図１０】本発明の実施例２に係わるプリ発光動作時の閃光装置マイコンでの動作を示すフローチャートである。
【図１１】本発明の実施例に係わる第1の照明手段である放電管の分光特性及び第2の照明手段である白色ＬＥＤの分光特性を示す図である。
【図１２】本発明の実施例に係わるセンサの分光感度及び感光部材（フィルム）の分光感度を示す図である。
【図１３】本発明の実施例４に係わるプリ発光時の閃光装置マイコンでの動作を示すフローチャートである。
【図１４】本発明の実施例５に係わるカメラマイコンでの動作を示すフローチャートである。
【図１５】本発明の実施例６に係わるカメラマイコンでの閃光装置発光量演算の動作を示すフローチャートを示す図である。
【符号の説明】
【００９３】
１        カメラ本体
７        多分割測光センサ
１１      レンズ
１８      閃光装置
１９      放電管
２９      焦点検出ユニット
４０      白色ＬＥＤ
１００    カメラマイコン
１０５    焦点検出回路
１０６    測光回路
１１１    液晶表示回路
１１４    フィルム面反射測光回路
【図１】
2005173168.tif 000003
【図２】
2005173168.tif 000004
【図３】
2005173168.tif 000005
【図４】
2005173168.tif 000006
【図５】
2005173168.tif 000007
【図６】
2005173168.tif 000008
【図７】
2005173168.tif 000009
【図８】
2005173168.tif 000010
【図９】
2005173168.tif 000011
【図１０】
2005173168.tif 000012
【図１１】
2005173168.tif 000013
【図１２】
2005173168.tif 000014
【図１３】
2005173168.tif 000015
【図１４】
2005173168.tif 000016
【図１５】
2005173168.tif 000017